【手続補正書】
【提出日】平成20年2月20日(2008.2.20)
【手続補正１】
【補正対象書類名】明細書
【補正対象項目名】発明の名称
【補正方法】変更
【補正の内容】
【発明の名称】回転多面鏡用アウターロータモータ及びそれを備える光偏向走査装置
【手続補正２】
【補正対象書類名】明細書
【補正対象項目名】特許請求の範囲
【補正方法】変更
【補正の内容】
【特許請求の範囲】
【請求項１】  回転多面鏡と、前記回転多面鏡とともに回転するロータヨークと、前記ロータヨークの内側に固定されたロータマグネットと、筒部と前記筒部から前記ロータマグネット側に突出してコイルが巻かれるティース部とを有するステータコアと、前記コイルと電気的に接続された回路基板と、を有し、前記回路基板から前記コイルに電流が流されることにより前記ロータマグネットと前記ステータコアとの間に回転トルクを発生させ、前記回転多面鏡を２００００ｒｐｍ以上で回転させる回転多面鏡用アウターロータモータにおいて、
前記ロータヨークのロータ外径Ｄｒと前記ステータコアの円筒部の外径ｄｋ２及び内径ｄｋ１を、
Ｄｒ＜４０ｍｍ
ｄｋ１≦０．６０×ｄｋ２
を満足するよう設定したことを特徴とする回転多面鏡用アウターロータモータ。
【請求項２】  前記ステータコアの筒部は、円筒状であることを特徴とする請求項１記載の回転多面鏡用アウターロータモータ。
【請求項３】  前記ステータコアの円筒部の内径にリング状のブッシュを内設したことを特徴とする請求項２記載の回転多面鏡用アウターロータモータ。
【請求項４】  前記回転多面鏡の回転軸と垂直な方向における前記ステータコアの筒部の断面形状は、前記ステータコアの円筒部の外径ｄｋ２  及び内径ｄｋを外接円又は内接円とする多面形状であることを特徴とする請求項１記載の回転多面鏡用アウターロータモータ。
【請求項５】  光源から出射する光束を前記回転多面鏡によって偏向走査する請求項１乃至４のいずれか１項に記載の回転多面鏡用アウターロータモータと、前記回転多面鏡用アウターロータモータによって偏向走査された走査光束を感光体上に結像させる走査光学レンズとを備える光偏向走査装置。
【手続補正３】
【補正対象書類名】明細書
【補正対象項目名】０００１
【補正方法】変更
【補正の内容】
【０００１】
【発明の属する技術分野】
本発明は、高速度で回転多面鏡を回転させる回転多面鏡用アウターロータモータ及びそれを備える光偏向走査装置に関するものである。
【手続補正４】
【補正対象書類名】明細書
【補正対象項目名】０００２
【補正方法】変更
【補正の内容】
【０００２】
【従来の技術】
レーザビームプリンタ、レーザファクシミリ等の画像形成装置に用いられる光偏向走査装置では、高速回転する回転多面鏡によって光源から出射する光束を偏向走査し、得られた走査光束を走査光学レンズを介して回転ドラム状の感光体上に結像させて静電潜像を形成する。そして、感光体上の静電潜像を現像装置によって現像してこれをトナー像として顕像化し、このトナー像を記録紙等の記録媒体に転写して定着装置へ送り、記録媒体上のトナーを加熱定着させることによって印刷（プリント）を行う。
【手続補正５】
【補正対象書類名】明細書
【補正対象項目名】０００４
【補正方法】変更
【補正の内容】
【０００４】
図１９に従来の光偏向走査装置に用いられる偏向器用モータの主断面を示すが、同図において、１０１は偏向器用モータ（回転多面鏡用アウターロータモータ）、１０２は複数の鏡面１０２ａを有する回転多面鏡、１０３は回転軸、１０４はスリーブ、１０５はスラスト円盤受け、１０６は回転軸１０３とスリーブ１０４及びスラスト円盤受け１０５の間に満たされた潤滑流体、１０４ａ，１０４ｂはスリーブ１０４に刻設された楔状の浅溝である。
【手続補正６】
【補正対象書類名】明細書
【補正対象項目名】００１４
【補正方法】変更
【補正の内容】
【００１４】
【課題を解決するための手段】
上記目的を達成するため、請求項１記載の発明は、回転多面鏡と、前記回転多面鏡とともに回転するロータヨークと、前記ロータヨークの内側に固定されたロータマグネットと、筒部と前記筒部から前記ロータマグネット側に突出してコイルが巻かれるティース部とを有するステータコアと、前記コイルと電気的に接続された回路基板と、を有し、前記回路基板から前記コイルに電流が流されることにより前記ロータマグネットと前記ステータコアとの間に回転トルクを発生させ、前記回転多面鏡を２００００ｒｐｍ以上で回転させる回転多面鏡用アウターロータモータにおいて、前記ロータヨークのロータ外径Ｄｒと前記ステータコアの円筒部の外径ｄｋ２及び内径ｄｋ１を、
Ｄｒ＜４０ｍｍ
ｄｋ１≦０．６０×ｄｋ２
を満足するよう設定したことを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】変更
【補正の内容】
【００１８】
従って、本発明によれば、ロータ外径Ｄｒを４０ｍｍ未満にしたため、低イナーシャを実現して高速化に伴う起動時間の短縮の要求を満足することができるとともに、ステータコア円筒部外径ｄｋ２に対するステータコア円筒部内径ｄｋ１の比率ｄｋ１／ｄｋ２を０．６以下に設定することにより、ステータコアの固有振動数のピーク値を低減することができ、該ステータコア自身の振動を低く抑えることができる。
【手続補正１１】
【補正対象書類名】明細書
【補正対象項目名】００２１
【補正方法】変更
【補正の内容】
【００２１】
＜実施の形態１＞
図１は本発明の実施の形態１に係る光偏向走査装置の断面図であり、同図において、１は偏向器用モータである回転多面鏡用アウターロータモータ、２は複数の鏡面２ａを有する回転多面鏡、３は回転軸、４はスリーブ、５はスラスト円盤受け、６は回転軸３とスリーブ４及びスラスト円盤５の間に満たされた潤滑流体、４ａ，４ｂはスリーブ４に刻設された楔状の浅溝である。
【手続補正１２】
【補正対象書類名】明細書
【補正対象項目名】００２３
【補正方法】変更
【補正の内容】
【００２３】
又、７は回転軸３に圧入固定された回転多面鏡受け座、８は多面鏡受け座７にカシメによって固定されたロータヨーク、９はロータヨーク８の内側に接着固定されたロータマグネットである。回転多面鏡２は回転多面鏡受け座７上に載置され、これは波ワッシャ１０と押さえリング１１及びこれらを回転軸３に保持固定する止め輪１２よって固定されている。
【手続補正１３】
【補正対象書類名】明細書
【補正対象項目名】００２５
【補正方法】変更
【補正の内容】
【００２５】
図２は図１のロータ部を切断した断面図であり、同図に示すように、モータ回路基板１４上にはステータコイル１５ａが端子ピン１５ｂを介して半田付け固定されて、ステータコイル１５ａとモータ回路基板１４とが電気的に接続されている。このステータコイル１５ａは複数のコイル巻線がステータコア１５の円筒部からロータマグネット９側に突出したティース部１７に巻かれることにより形成される。ステータコイル１５ａに電流を流してスロット部１６に回転磁力を発生させることによってロータマグネット９との間で回転トルクが発生し、ロータマグネット９と回転軸３及び回転多面鏡２で構成されるロータ部が回転駆動される。
【手続補正１４】
【補正対象書類名】明細書
【補正対象項目名】００２８
【補正方法】変更
【補正の内容】
【００２８】
ここで、起動トルクはロータマグネット９の磁束密度でほぼ決まり、ロータマグネット９には一般的にフェライトマグネットが使用され、回転数が２００００ｒｐｍ、起動トルクを３００ｇｆ・ｃｍ以下としたときの起動時間が５ｓｅｃ以内を満足するためには、ロータ外径Ｄｒはφ４０ｍｍ未満としなければならない。特に、回転数が２００００ｒｐｍを超えるものでは、偏向器用モータ１のロータ外径Ｄｒを更に小さくしなければならない。
【手続補正１５】
【補正対象書類名】明細書
【補正対象項目名】００３０
【補正方法】変更
【補正の内容】
【００３０】
しかしながら、前記ロータ外径Ｄｒがφ４０ｍｍ未満になると、ステータコア１５に作用する捩り応力τが増幅する。このロータ外径Ｄｒと捩り応力τの関係を図５と図６にそれぞれ示す。
【手続補正１６】
【補正対象書類名】明細書
【補正対象項目名】００３４
【補正方法】変更
【補正の内容】
【００３４】
図６からステータコア円筒部外径ｄｋ２に作用する捩り応力τはロータ外径Ｄｒを小径化すると増加傾向にあり、特にＤｒ＜φ４０ｍｍにおいて急激に増加する。このため、ステータコア円筒部外径ｄｋ２には多大な捩り応力τが加わり、捩り剛性に対して非常に弱い構成になっている。
【手続補正１７】
【補正対象書類名】明細書
【補正対象項目名】００３９
【補正方法】変更
【補正の内容】
【００３９】
ここで、図７に示すように、ステータコア１５の円筒部形状が一様断面を有する中空丸棒と考えてみる。このとき、ステータコア１５の円筒部断面のみに着目するためにティース部１７の形状とスロット部１６の形状については触れない。このときのステータコア１５の円筒部断面の変形は以下のように考えられる。
【手続補正１８】
【補正対象書類名】明細書
【補正対象項目名】００６２
【補正方法】変更
【補正の内容】
【００６２】
【発明の効果】
以上の説明で明らかなように、本発明によれば、モータ駆動回転中の電磁音による騒音を大幅に低減することができる。
【手続補正１９】
【補正対象書類名】図面
【補正対象項目名】図５
【補正方法】変更
【補正の内容】
【図５】
2002258202.tif 000001